(57)【要約】【課題】長期間の使用にも耐えうる高い防水機能を備える携帯用電子機器を提供すること。【解決手段】本発明の携帯用電子機器は、一面に開口を有し該開口の端部周縁が接合面１０５となっているフロントケース１０１と、一面の周縁部が前記フロントケースの接合面に接合する接合面１０６となっているリアケース１０２と、フロントケースの接合面とリアケースの接合面との間に配設された弾性材からなるパッキン１０４と、前記パッキンを介して接合された前記フロントケース及びリアケースで覆われた内部に収納されるプリント基板１０３と、を有する第１筐体１０を備えた携帯用電子機器において、前記筐体は、前記フロントケースとリアケースの前記パッキンが配設される位置に隣接する内側の複数箇所がビス止めされて固定されている。【選択図】図２
2009005002.tif 000002
【特許請求の範囲】
【請求項１】
一面に開口を有し該開口の端部周縁が接合面となっているフロントケースと、一面の周縁部が前記フロントケースの接合面に接合する接合面となっているリアケースと、前記フロントケースの接合面と前記リアケースの接合面との間に配設された弾性材からなるパッキンと、前記パッキンを介して接合された前記フロントケース及びリアケースで覆われた内部に収納される電子部品と、を有する筐体を備えた携帯用電子機器において、
前記筐体は、前記フロントケースとリアケースの前記パッキンが配設される位置に隣接する内側の複数箇所がビス止めされて固定されていることを特徴とする携帯用電子機器。
【請求項２】
前記筐体は表示部を有する第１筐体を構成しており、該第１筐体はヒンジ機構を介して第２筐体に折畳み自在に連結されており、
前記フロントケースは前記第１、第２筐体を折畳んだ状態で外部に露出しない部分に配設されているとともに、前記ビス止めがなされる複数箇所に対応する位置にビス挿通用孔が形成され、
前記リアケースは前記第１、第２筐体を折畳んだ状態で外部に露出する部分に配設されているとともに、前記ビス止めがなされる複数箇所に対応する位置にビスに螺合するビス螺合用凹部が形成され、
前記ビス挿通孔に挿通され前記ビス螺合用凹部に螺合するように複数個のビスがそれぞれ螺合されていることを特徴とする請求項１に記載の携帯用電子機器。
【請求項３】
前記フロントケースの表面には前記ビスの頭部が位置する部分を覆う化粧パネルが取り付けられていることを特徴とする請求項２に記載の携帯用電子機器。
【発明の詳細な説明】
【技術分野】
【０００１】
本発明は携帯用電子機器に関し、特に防水構造を備える携帯用電子機器に関する。
【背景技術】
【０００２】
携帯用通信機、携帯用電話機等の携帯用電子機器は、屋外で使用されるため、降雨にさらされたり、水没させてしまったりすることがあるので、内部の電気・電子回路等の電子部品を保護するために、電子部品を防水が施された収納部に収納する必要がある。
【０００３】
従来は、例えば下記特許文献１に開示された方法によって防水を行っている。これは、電子部品を収納する収納部をフロントケースと開口を有するリアケースとによって形成し、リアケースの開口縁部に形成された凹部に弾性部材からなるパッキンを挿入するものである。そして、フロントケースの縁部には凸部が形成されおり、フロントケースとリアケースとをビス留めによって一体に組立てる際に、フロントケース縁部の凸部でもってリアケース開口縁部の凹部に装着されたパッキンを押圧して凹部内に嵌合させることによって液密構造を形成している。
【特許文献１】特開平１０−５２８３２号公報（段落［０００２］〜［０００３］、図８、図９）
【発明の開示】
【発明が解決しようとする課題】
【０００４】
しかしながら、上述した従来技術においては、ビス止めが部分的であるためリアケースの開口縁部とフロントケースの縁部とが全周に亘って十分に密着せず確実な液密構造を得ることができない場合がある。特に、フロントケース、リアケースは経年変化によって劣化及び変形するので長期間経過後に液密保持が著しく損なわれてしまうという問題点があった。
【０００５】
そこで、本発明は上記問題点に鑑みてなされたものであって、本発明の目的は、長期間の使用にも耐えうる高い防水機能を備える携帯用電子機器を提供することである。
【課題を解決するための手段】
【０００６】
上記課題を解決するために、本願の請求項１に係る発明は、一面に開口を有し該開口の端部周縁が接合面となっているフロントケースと、一面の周縁部が前記フロントケースの接合面に接合する接合面となっているリアケースと、前記フロントケースの接合面と前記リアケースの接合面との間に配設された弾性材からなるパッキンと、前記パッキンを介して接合された前記フロントケース及びリアケースで覆われた内部に収納される電子部品と、を有する筐体を備えた携帯用電子機器において、
前記筐体は、前記フロントケースとリアケースの前記パッキンが配設される位置に隣接する内側の複数箇所がビス止めされて固定されていることを特徴とする。
【０００７】
また、請求項２に係る発明は、請求項１に記載の携帯用電子機器において、前記筐体は表示部を有する第１筐体を構成しており、該第１筐体はヒンジ機構を介して第２筐体に折畳み自在に連結されており、
前記フロントケースは前記第１、第２筐体を折畳んだ状態で外部に露出しない部分に配設されているとともに、前記ビス止めがなされる複数箇所に対応する位置にビス挿通用孔が形成され、
前記リアケースは前記第１、第２筐体を折畳んだ状態で外部に露出する部分に配設されているとともに、前記ビス止めがなされる複数箇所に対応する位置にビスに螺合するビス螺合用凹部が形成され、
前記ビス挿通孔に挿通され前記ビス螺合用凹部に螺合するように複数個のビスがそれぞれ螺合されていることを特徴とする。
【０００８】
また、請求項３に係る発明は、請求項２に記載の携帯用電子機器において、前記フロントケースの表面には前記ビスの頭部が位置する部分を覆う化粧パネルが取り付けられていることを特徴とする。
【発明の効果】
【０００９】
本発明は上記構成を備えることにより、以下に示すような優れた効果を奏する。すなわち、請求項１の発明によれば、フロントケースとリアケースとをパッキンを介して接合し、両ケースのパッキンが配設される位置に隣接し且つパッキンよりも内側の複数箇所をビス止めすることで、長時間の使用によっても両ケース間に液体が侵入できる隙間が形成されず、高い液密性を維持した筐体を提供することが可能となる。特にビス止めする箇所を複数箇所とするとともにパッキンの隣接する内側としたので、例えばパッキンの外側あるいはパッキンから所定距離離れた内側をビス止めする場合に比して、より液密状態の維持に好適なものとなる。
【００１０】
また、請求項２の発明によれば、上述の筐体を第１筐体とするいわゆる折畳み式の携帯用電子機器において、フロントケースにビス挿通用孔を設け、リアケースに螺合用凹部を設け、この携帯用電子機器を折畳んだ状態で露出しない部分に形成されるフロントケース側からビスを螺合することにより、折畳んだ状態においてはビスが第２筐体により押圧された状態となり、この折畳んだ状態における液密性が保たれるようになる。
【００１１】
また、請求項３の発明によれば、化粧パネルを用いてビスの頭部を覆うため、ビスの頭部が外部に露出することがなくなり、美観を損ねることなく高い防水性を確保することができる。
【発明を実施するための最良の形態】
【００１２】
以下、図面を参照して本発明の最良の実施形態を説明する。但し、以下に示す実施形態は、本発明の技術思想を具体化するための携帯用電子機器としての折畳み式の携帯電話機を例示するものであって、本発明をこの携帯電話機に特定することを意図するものではなく、特許請求の範囲に含まれるその他の実施形態のものも等しく適応し得るものである。
【実施例】
【００１３】
図１は本発明の実施形態に係る携帯電話機を展開した状態を示す斜視図、図２は図１における第１筐体を分解して示す分解斜視図、図３は図２におけるフロントケースとリアケースを反転して示す分解斜視図である。
【００１４】
本実施例の携帯用電子機器としての携帯電話機１は、図１に示すように、第１筐体１０と、第２筐体２０と、第１筐体１０と第２筐体２０とを互いに折り畳み自在に連結するヒンジ機構３０とを有している。第１筐体１０の展開面には動作状態などが表示される液晶表示パネル等からなる表示部４０が配置され、第２筐体２０の展開面には操作キー５０が配置されている。
【００１５】
第１筐体１０は、図２及び図３で示すように、一側に開口を有するフロントケース１０１と開口を塞ぐリアケース１０２とによって構成されている。フロントケース１０１は前面に表示部４０を露出するための窓部を有し、裏面は開口が形成されると共にリアケース１０２との接合面となるほぼ長方形状の樹脂材からなり、リアケース１０２は前面がフロントケース１０１の裏面に接合する接合面となるほぼ長方形状の樹脂材からなる。フロントケース１０１とリアケース１０２とはそれぞれの接合面を接合して一体となるものであり、両ケース１０１、１０２が接合されることによりフロントケース１０１とリアケース１０２によって形成される内部空間には、電子部品であるプリント基板１０３が収納される。また、フロントケース１０１とリアケース１０２の接合部分、詳しくはフロントケース１０１の裏面の周縁部（以下、接合面１０５という）とリアケース１０２の前面の周縁部（以下、接合面１０６という）との間には、弾性材からなるパッキン１０４が介挿され、これによって内部が液密状態に維持される。
【００１６】
なお、フロントケース１０１とリアケース１０２は、ポリアミドＭＸＤ６をガラス繊維、無機質フィラーなどで強化したものを材料として成形されたものであって、機械的強度、弾性率の優れたものである。また、耐熱性、耐油性などにも優れたものである。
【００１７】
次に、第１筐体１０内部を液密状態に維持するための構成について、主に図２及び図３を参照して詳細に説明する。
【００１８】
フロントケース１０１の接合面１０５にはパッキン１０４を収める溝１０７が形成され、リアケース１０２の接合面１０６にはリアケース１０２がフロントケース１０１に組み合わせられた際に、溝１０７に嵌合する凸部１０８が設けられている。パッキン１０４はフロントケース１０１の接合面１０５とリアケース１０２の接合面１０６との間において、その全周に亘って配設されるようにループ状に形成されている。フロントケース１０１とリアケース１０２はビス止めすることによって一体に組立てられるが、その際に、リアケース１０２の接合面１０６に形成された凸部１０８が、既にフロントケース１０１の溝１０７内に配設されたパッキン１０４を押圧しつつフロントケース１０１の接合面１０５に形成された溝１０７に嵌合される。なお、図３においてはパッキン１０４と溝１０７との関係を明らかにするため、パッキン１０４は一部分だけが溝１０７に収められている状態を示している。
【００１９】
本実施例の携帯電話機１においては、フロントケース１０１とリアケース１０２とをビス止めするため、フロントケース１０１の溝１０７、すなわち、パッキン１０４に隣接し且つパッキン１０４よりも内側に位置する複数箇所にビス挿通用孔１０９が設けられ、また、リアケース１０２のビス挿通用孔１０９に対応する位置にはビス螺合用凹部１１０が設けられ、ビス挿通用孔１０９からビス螺合用凹部１１０に挿通して螺合されるビス１１１によって両ケース１０１、１０２を固定するビス止め構造を備えている。本実施例においては、ビス挿通用孔１０９とビス螺合用凹部１１０は、対をなして所定の間隔を空けて１１個所に設けられている。
【００２０】
このビス挿通用孔１０９及びビス螺合用凹部１１０の配設状態は、本実施例においては、図３を参照すると明らかなように、フロントケース１０１及びリアケース１０２の長辺側に沿って夫々３又は４箇所設けられ、ヒンジ機構３０側の短辺に沿って夫々２箇所設けられ、もう一方の短辺に沿って夫々３箇所設けられる。
【００２１】
図３で示すように、プリント基板１０３はコネクタ（図示省略）を有し、このコネクタには第１、第２筐体１０、２０間の電気的な接続を行うための可撓性を有するフレキシブルプリント配線基板（ＦＰＣ：Flexible Printed Circuit）６０の一端６１が接続されている。なお、図３では省略されているが、ＦＰＣ６０の他端はヒンジ機構３０を介して第２筐体２０内へと導かれ、第２筐体２０内の電子部品に接続されている。
【００２２】
このＦＰＣ６０はパッキン１０４と交差しており、この交差部分がインサート成型により一体に形成された一体形成構造をなしていると好ましい。このような構成を採用すると、第１筐体１０のＦＰＣ６０が取り付けられた位置から液体が侵入する恐れがなくなる。
【００２３】
第１筐体１０のフロントケース１０１の前面には、表示部４０がその表示画面を外部に露出した状態で取付けられている。また、この表示部４０の額縁部分を取り囲むようにして化粧パネル７０が配設される。この化粧パネル７０は中央部分に表示部４０が露出する開口が設けられた枠７１を備えている。この枠７１はビス挿通孔１０７に挿通されたビス１１１の頭部を上方から覆う機能を備えており、組立状態ではビス１１１は外部から見えないようになっている。
【００２４】
次に、上述した構成の携帯電話機１の第１筐体１０の組立て手順について説明する。
【００２５】
先ず、フロントケース１０１の内側にプリント基板１０３を取付け、プリント基板１０３のコネクタにＦＰＣ６０の一端６１を接続する。また、これと同時にパッキン１０４をフロントケース１０１の溝１０７に嵌合し、リアケース１０２の接合面１０６をフロントケース１０１の接合面１０５に沿って密接するようにリアケース１０２とフロントケース１０１を接合させる。これによりリアケース１０２の凸部１０８によってパッキン１０４をフロントケース１０１の溝１０７に押圧して嵌合させるようになり、液密構造をなす。
【００２６】
そして、ビス１１１をフロントケース１０１の前面側から夫々のビス挿通用孔１０９に挿入しビス螺合用凹部１１０に螺合する。このようにして、フロントケース１０１とリアケース１０２とは合体されて第１筐体１０が形成される。
【００２７】
その後、化粧パネル７０をフロントケース１０１の前面（表面）の縁部分に接着して取り付ける。これによりビス１１１の頭部は化粧パネル７０の枠７１によって覆われる。
【００２８】
上述した本発明の実施例によれば、フロントケース１０１のパッキン１０４が配設される位置に隣接する内側にはビス挿通用孔１０９が複数個設けられ、リアケース１０２のビス挿通用孔１０９に対向する位置にはビス螺合用凹部１１０が設けられているので、これらのビス挿通用孔１０９にビス１１１を挿通しビス螺合用凹部１１０に螺合させることにより、フロントケース１０１の開口をリアケース１０２で覆うことができる。これらビス挿通用孔１０９とビス螺合用凹部１１０とは、所定の間隔で１１個所に設けられ、接合面１０５と接合面１０６との間に全周に亘り配置されたパッキン１０４に均一に圧力が加わるように押圧する。そのため、第１筐体１０は液密性が保たれる。また、第１筐体１０は、パッキン１０４に隣接する内側部分の複数箇所でビス止めされているので長期間の使用によりフロントケース１０１、リアケース１０２が変形することによりパッキン１０４に対する押圧力が低下することがないので、液密性が低下して防水効果を損なうことがない。
【００２９】
また、ビス１１１の頭部は枠７１により覆われているので、ビス止めによってフロントケース１０１とリアケース１０２とで形成される第１筐体１０の内部空間への液体の浸入を確実に防止できる。すなわち、枠７１はビス１１１とビス挿通用孔１０９との間に隙間が生じた場合にこの隙間から水が浸入することを防止する。
【００３０】
しかも、化粧パネル７０の枠７１を用いてビス１１１の頭部を封止するため、ビス１１１の頭部が外部に露出することなく、美観を損なわない。しかも、封止作業は化粧パネル７０の取り付け作業と同時にできる。
【００３１】
さらにまた、ビス１１１はフロントケース１０４側から挿入され螺合されるので、携帯電話機１を折畳んだ状態ではビス１１１の頭部は第２筐体２０に押圧された状態となる。これにより、携帯電話機１を折畳んだ状態においては第１筐体１０内部への液体の侵入の恐れがない。
【００３２】
なお、本発明の実施例では、対になったビス挿通用孔１０９とビス螺合用凹部１１０とは所定間隔を空けて合計１１個所に設けたが、携帯電話機１の大きさ、形状などに基づいて５〜１５個を所定の間隔を空けて設けることが好ましい。
【００３３】
また、本発明の実施例では、携帯電話機１として折畳み式の携帯電話機を例示して説明したが、例えばスライド式の携帯用電子機器あるいは１つの筐体のみからなる携帯用電子機器であっても上述の構成を採用することにより高い防水機能を達成できることは明白である。
【図面の簡単な説明】
【００３４】
【図１】図１は本発明の実施形態に係る携帯電話機を展開した状態を示す斜視図である。
【図２】図２は図１における第１筐体を分解して示す分解斜視図である。
【図３】図３は図２におけるフロントケースとリアケースを反転して示す分解斜視図である。
【符号の説明】
【００３５】
１            携帯電話機
１０          第１筐体
２０          第２筐体
３０          ヒンジ機構
４０          表示部
５０          操作キー
６０          ＦＰＣ
７０          化粧パネル
７１          枠
１０１        フロントケース
１０２        リアケース
１０３        プリント基板
１０４        パッキン
１０５        （フロントケースの）接合面
１０６        （リアケースの）接合面
１０７        溝
１０８        凸部
１０９        ビス挿通用孔
１１０        ビス螺合用凹部
１１１        ビス
【図１】
2009005002.tif 000003
【図２】
2009005002.tif 000004
【図３】
2009005002.tif 000005